(57)【要約】【課題】故障したベースバンド処理部に割り当てられていた移動端末の通信を継続できるＣＤＭＡ基地局装置を提供する。【解決手段】ベースバンド処理部１５は、ベースバンドでのデータの処理を行う。アラーム監視部１６は、ベースバンド処理部１５の故障を検出する。データ保存部１７は、アラーム監視部１６にていずれかのベースバンド処理部１５の故障が検出されると、故障したベースバンド処理部１５内の情報を故障時用ベースバンド処理部１５′に移す。切り替え部１３は、故障したベースバンド処理部１５の処理を故障時用ベースバンド処理部１５′に切り替える。故障時用ベースバンド処理部１５′は、故障したベースバンド処理部１５に代わって処理を継続する。【選択図】　図１
2004112055.tif 000002
【特許請求の範囲】
【請求項１】
ＣＤＭＡ移動通信システムを構成するＣＤＭＡ基地局装置であって、
ベースバンドでのデータの処理を行う少なくとも１つのベースバンド処理部と、
前記ベースバンド処理部と同一構成であり、故障したベースバンド処理部に代わって処理を継続する少なくとも１つの故障時用ベースバンド処理部と、
前記ベースバンド処理部の故障を検出するアラーム監視部と、
前記アラーム監視部にていずれかのベースバンド処理部の故障が検出されると、故障したベースバンド処理部内の情報を前記故障時用ベースバンド処理部に移すデータ保存部と、
故障した前記ベースバンド処理部の処理を前記故障時用ベースバンド処理部に切り替える切り替え部とを有するＣＤＭＡ基地局装置。
【請求項２】
前記故障時用ベースバンド処理部が複数あり、前記故障したベースバンド処理部の切り替え先となる故障時用ベースバンド処理部を前記切り替え部が決定する、請求項１記載のＣＤＭＡ基地局装置。
【請求項３】
ＣＤＭＡ移動通信システムを構成するＣＤＭＡ基地局装置であって、
ベースバンドでのデータの処理を行う複数のベースバンド処理部と、
前記各ベースバンド処理部が使用中か否か監視する使用状態監視部と、
前記ベースバンド処理部の故障を検出するアラーム監視部と、
前記アラーム監視部にていずれかのベースバンド処理部の故障が検出されると、故障したベースバンド処理部内の情報を未使用のベースバンド処理部に移すデータ保存部と、
前記故障したベースバンド処理部の処理を前記未使用のベースバンド処理部に切り替える切り替え部とを有するＣＤＭＡ基地局装置。
【請求項４】
前記ベースバンド処理部は、移動端末からの上りデータの受信電力レベルに応じて前記移動端末の送信電力を制御するパワーコントロール部を有する、請求項１〜３のいずれか１項に記載のＣＤＭＡ基地局装置。
【請求項５】
前記データ保存部が、故障した前記ベースバンド処理部から前記故障時用ベースバンド処理部に移す前記情報には、該ベースバンド処理部が故障前に取得した下りデータが含まれる、請求項１〜４のいずれか１項に記載のＣＤＭＡ基地局装置。
【請求項６】
前記データ保存部が、故障した前記ベースバンド処理部から前記故障時用ベースバンド処理部に移す前記情報には、該ベースバンド処理部に設定されていた設定情報が含まれる、請求項１〜５のいずれか１項に記載のＣＤＭＡ基地局装置。
【請求項７】
前記データ保存部が、故障した前記ベースバンド処理部から前記故障時用ベースバンド処理部に移す前記情報には、該ベースバンド処理部の下りデータ処理に関する状態情報が含まれる、請求項１〜６のいずれか１項に記載のＣＤＭＡ基地局装置。
【請求項８】
前記切り替え部がＡＳＩＣによって構成され、前記データ保存部がＤＳＰによって構成され、前記アラーム監視部がプログラムを実行するプロセッサによって構成されている、請求項１〜７のいずれか１項に記載のＣＤＭＡ基地局装置。
【発明の詳細な説明】
【０００１】
【発明の属する技術分野】
本発明は、ＣＤＭＡ移動体通信の基地局装置に関し、特に、ＣＤＭＡ基地局装置のベースバンド処理部の障害対策に関する。
【０００２】
【従来の技術】
符号分割多重接続（以下、Ｃｏｄｅ　Ｄｉｖｉｓｉｏｎ　Ｍｕｌｔｉｐｌｅ　Ａｃｃｅｓｓ：ＣＤＭＡと呼ぶ）方式の移動体通信システムでは、基地局が移動端末から符号分割多重された信号を受信する。移動端末から信号を受信した基地局は、まず、その信号により送られたデータを取得するためのタイミングを捕捉する。この処理が同期捕捉処理と呼ばれる。次に、基地局は、同期補足処理によって得られたタイミングで逆拡散することにより各利用者からのデータを取得する。また、基地局は、上述の同期捕捉処理により得られたタイミングがフェージングや雑音の影響によって失われること無く、安定するように同期追跡処理を行っている。同期追跡処理とは、同期捕捉処理で得られたタイミング情報に対して受信側の拡散系列が時間的なずれを起こさないようにトラッキングする処理である。
【０００３】
また、ＣＤＭＡ方式では、複数の移動端末からのデータが同一の周波数帯を使用しているため、ターゲットの他の移動端末の信号は干渉波となる。その干渉の程度は、他の移動端末の送信電力レベルに依存する。つまり、他の移動端末の送信電力レベルが大きいほど、ターゲットの移動端末の信号に対する干渉が大きくなる。干渉が大きくなれば、データが正しく受信されなくなる。そのため、基地局は、移動端末からの信号の受信レベルを監視し、全ての移動端末からの信号の受信レベルを一定に制御する。この制御がパワーコントロールと呼ばれる。信号の受信レベルは、基地局と移動端末の距離や、基地局と移動端末の間の地形などによって変化する。基地局は、この変化する受信レベルを一定に維持するように、移動端末の送信電力レベルを制御する。
【０００４】
図７は、従来のＣＤＭＡ移動通信システムの基地局の構成を示すブロック図である。図７を参照すると、基地局９は、アンテナ９１を介して無線信号により移動端末７と通信する。また、基地局９は、移動端末７と送受信する信号に含まれるデータを上位局８との間で送受信する。移動端末７から基地局９に向かう信号の方向を上り、その逆を下りとする。
【０００５】
基地局９は、無線インタフェース９２、伝送路インタフェース９３およびベースバンド処理部９４を有している。ベースバンド処理部９４は、上りデータ処理部９５および下りデータ処理部９６を有している。上りデータ処理部９５は、相関値検出部９７、復号部９１０およびパワーコントロール部９１１を有している。相関値検出部９７は、同期処理部９８および逆拡散処理部９９を有している。
【０００６】
無線インタフェース９２は、アンテナ９１を介して無線周波数帯の信号を移動端末７と送受信する。無線インタフェース９２は、無線周波数帯の信号をベースバンド周波数帯に変換し、ベースバンド周波数帯のアナログ信号をディジタル信号に変換し、ディジタル信号をベースバンド処理部９４と送受信する。その際、無線インタフェース９２は無線周波数帯からベースバンド周波数帯へ同期検波により周波数変換する。
【０００７】
ベースバンド処理部９４は、上りおよび下りのデータのベースバンドでの処理を行う。上りデータ処理部９５は上りデータを処理し、下りデータ処理部９６は下りデータを処理する。
【０００８】
同期処理部９８は、上述した同期捕捉処理および同期追跡処理を行う。
【０００９】
逆拡散処理部９９は、ターゲットの移動端末７が拡散に用いたのと同じ符号を用い、同期処理部９８で得られたタイミングで逆拡散する。
【００１０】
復号部９１０は、逆拡散により得られたデータを復号する。逆拡散により得られたデータは誤り制御などのために符号化されている。
【００１１】
パワーコントロール部９１１は、上述したパワーコントロールを行う。その際、パワーコントロール部９１１は、復号部９１０で復号されたデータの信号対干渉電力比（以下、Ｓｉｇｎａｌ　ｔｏ　Ｉｎｔｅｒｆｅｒｅｎｃｅ　Ｒａｔｉｏ：ＳＩＲと呼ぶ）を測定し、このＳＩＲを所定の目標値に維持するように移動端末７の送信電力レベルを制御する。
【００１２】
移動端末７への制御指示は、下りデータ処理部９６によって下りデータに付加されるパワーコントロールビット（以下、Ｔｒａｎｓｍｉｔ　Ｐｏｗｅｒ　Ｃｏｎｔｒｏｌ：ＴＰＣビットと呼ぶ）によって行われる。そのため、パワーコントロール部９１１は、このＴＣＰビットを生成して下りデータ処理部９６に送る。
【００１３】
伝送路インタフェース９３は、ベースバンド処理部９４と送受信するデータを所定の伝送フォーマットに変換して上位局８と送受信する。
【００１４】
図８は、従来のＣＤＭＡ移動通信システムの基地局の概略構成を示すブロック図である。図７はベースバンド処理部９４の内部を詳細に示すために、ベースバンド処理部９４を１つだけ示していたが、通常、実際の基地局は図８に示すように複数のベースバンド処理部９４を有し、複数の移動端末７のデータを並列に処理する。
【００１５】
ところで、図７および図８に示した基地局９において、ハードウェア的要因あるいはソフトウェア的要因によりベースバンド処理部９４が正常に動作しなくなることがある。例えば、ベースバンド処理部９４の誤動作により誤ったＴＰＣビットが生成されると、それを受けた移動端末９の送信電力レベルは適切な値でなくなる可能性がある。特に、ある移動端末９の送信電力レベルが不当に高くなると、他の移動端末の上り信号に強い干渉を与えてしまう。
【００１６】
このような問題に対処するために、上りデータ処理の動作を監視しており、故障を検出すると、移動端末の送信電力レベルの上昇を防止する手段を持った基地局が提案されている（例えば特許文献１参照）。
【００１７】
図９は、従来のＣＤＭＡ移動通信システムの他の基地局の概略構成を示すブロック図である。図９に示された基地局９はアラーム監視部９１２を有している。
【００１８】
アラーム監視部９１２は、いずれかのベースバンド処理部９４の上りデータ処理部（不図示）の故障を検出すると、故障したベースバンド処理部９４を特定し、そのベースバンド処理部９４に復号処理を停止させ、送信電力レベルを下げるＴＣＰビットの生成を指示する。これにより、ベースバンド処理部の故障に起因して他の移動端末への干渉が強まるのを防止することができる。
【００１９】
【特許文献１】
特開２００１−２９８７６７号公報
【００２０】
【発明が解決しようとする課題】
図９に示した従来の基地局によれば、ベースバンド処理部９４の故障に起因して他の移動端末に対して強い干渉を与えてしまうのは防止できる。しかし、故障したベースバンド処理部９４に割り当てられていた移動端末の利用者の通信は継続できず、切断されることとなる。
【００２１】
本発明の目的は、故障したベースバンド処理部に割り当てられていた移動端末の通信を継続できるＣＤＭＡ基地局装置を提供することである。
【００２２】
【課題を解決するための手段】
上記目的を達成するために、本発明のＣＤＭＡ基地局装置は、ＣＤＭＡ移動通信システムを構成するＣＤＭＡ基地局装置であって、ベースバンドでのデータの処理を行う少なくとも１つのベースバンド処理部と、ベースバンド処理部と同一構成であり、故障したベースバンド処理部に代わって処理を継続する少なくとも１つの故障時用ベースバンド処理部と、ベースバンド処理部の故障を検出するアラーム監視部と、アラーム監視部にていずれかのベースバンド処理部の故障が検出されると、故障したベースバンド処理部内の情報を故障時用ベースバンド処理部に移すデータ保存部と、故障したベースバンド処理部の処理を故障時用ベースバンド処理部に切り替える切り替え部とを有している。
【００２３】
したがって、本発明によれば、いずれかのベースバンド処理部が故障してアラーム監視部がそれを検出すると、データ保存部が、故障したベースバンド処理部のデータ等を故障時用ベースバンド処理部に移し、切り替え部が、故障したベースバンド処理部の処理を故障時用ベースバンド処理部に切り替える。
【００２４】
なお、故障時用ベースバンド処理部が複数あり、故障したベースバンド処理部の切り替え先となる故障時用ベースバンド処理部を切り替え部が決定することとしてもよい。
【００２５】
したがって、故障時用ベースバンド処理部が複数あり、ベースバンド処理部に故障が起こると、切り替え部がどの故障時用ベースバンド処理部に切り替えるか決めて切り替えを行う。
【００２６】
本発明の他のＣＤＭＡ基地局装置は、ＣＤＭＡ移動通信システムを構成するＣＤＭＡ基地局装置であって、ベースバンドでのデータの処理を行う複数のベースバンド処理部と、各ベースバンド処理部が使用中か否か監視する使用状態監視部と、ベースバンド処理部の故障を検出するアラーム監視部と、アラーム監視部にていずれかのベースバンド処理部の故障が検出されると、故障したベースバンド処理部内の情報を未使用のベースバンド処理部に移すデータ保存部と、故障したベースバンド処理部の処理を未使用のベースバンド処理部に切り替える切り替え部とを有している。
【００２７】
したがって、本発明によれば、複数のベースバンド処理部のうち未使用のものを、故障したベースバンド処理部の切り替え先とすることができ、切り替え部が切り替え先のベースバンド処理部を決定して切り替えを行い、データ保存部がそのベースバンド処理部にデータ等を移す。
【００２８】
また、ベースバンド処理部は、移動端末からの上りデータの受信電力レベルに応じて移動端末の送信電力を制御するパワーコントロール部を有している。
【００２９】
したがって、ベースバンド処理部に故障が生じても、そこに割り当てられていた移動端末の通信は継続されるが、故障したベースバンド処理部のパワーコントロール部による制御が継続されてその移動端末の送信電力レベルが不当に制御されることがない。
【００３０】
本発明の一態様によれば、データ保存部が、故障したベースバンド処理部から故障時用ベースバンド処理部に移す情報には、そのベースバンド処理部が故障前に取得した下りデータ、そのベースバンド処理部に設定されていた設定情報、または、そのベースバンド処理部の下りデータ処理に関する状態情報が含まれている。
【００３１】
本発明の一態様によれば、切り替え部がＡＳＩＣによって構成され、データ保存部がＤＳＰによって構成され、アラーム監視部がプログラムを実行するプロセッサによって構成されてもよい。
【００３２】
【発明の実施の形態】
本発明の一実施形態について図面を参照して詳細に説明する。
【００３３】
図１は、本発明の一実施形態の基地局の構成を示すブロック図である。図１を参照すると、基地局１は、アンテナ１１を介して無線信号により移動端末７−１〜７−ｍと通信する。また、基地局１は、移動端末７−１〜７−ｍと送受信する信号に含まれるデータを上位局８との間で送受信する。移動端末７−１〜７−ｍから基地局１へ向かう信号の方向を上り、その逆を下りとする。
【００３４】
基地局１は、無線インタフェース１２、切り替え部１３、伝送路インタフェース１４、ベースバンド処理部１５−１〜１５−ｎ、故障時用ベースバンド処理部１５′、アラーム監視部１６およびデータ保存部１７を有している。
【００３５】
図２は、ベースバンド処理部の詳細構成を示すブロック図である。図２を参照すると、ベースバンド処理部１５は、上りデータ処理部２１および下りデータ処理部２２を有している。上りデータ処理部２１は、相関値検出部２３、復号部２６およびパワーコントロール部２７を有している。
【００３６】
無線インタフェース１２は、アンテナ１１を介して無線周波数帯の信号を移動端末７−１〜７−ｍと送受信する。
【００３７】
無線インタフェース部１２は、無線周波数帯の信号をベースバンド周波数帯に変換し、ベースバンド周波数帯のアナログ信号をディジタル信号に変換し、ディジタル信号に変換する。その際、無線インタフェース１２は無線周波数帯からベースバンド周波数帯へ同期検波により周波数変換する。
【００３８】
無線インタフェース１２は、複数のベースバンドインタフェースを有しており、各移動端末のディジタル信号を各ベースバンドインタフェースを介して切り替え部１３と送受信する。
【００３９】
切り替え部１３は、通常時、無線インタフェース１２の各ベースバンドインタフェースとベースバンド処理部１５−１〜１５−ｎの間をストレートに接続し、データを中継する。また、切り替え部１３は、アラーム監視部１６からアラームの通知を受けると、故障したベースバンド処理部１５に接続していたベースバンドインタフェースを故障時用ベースバンド処理部１５′に切り替える。
【００４０】
ベースバンド処理部１５−１〜１５−ｎは、いずれかの移動端末７−１〜７−ｍに割り当てられ、その上りおよび下りのデータのベースバンドでの処理を行う。割り当てられた移動端末をターゲットの移動端末と呼ぶ。
【００４１】
下りデータ処理部２２は、ターゲットの移動端末へ送るデータを符号化し、誤り訂正ビットを付加し、またＴＰＣビットを付加して切り替え部１３に送る。また、下りデータ処理部２２は、その同じデータをデータ保存部１７に送る。
【００４２】
故障時用ベースバンド処理部１５′は、ベースバンド処理部１５−１〜１５−ｎと同一構成であり、いずれかのベースバンド処理部１５−１〜１５−ｎが故障したときそれに代わって動作する。
【００４３】
同期処理部２４は、同期捕捉処理および同期追跡処理を行う。同期捕捉処理とは、移動端末からの信号により送られたデータを取得するためのタイミングを捕捉する。同期追跡処理とは、同期捕捉処理で得られたタイミングに対して受信側の拡散系列が時間的なずれを起こさないようにトラッキングすることにより、同期捕捉処理により得られたタイミングをフェージングや雑音の影響によって失われること無く安定させる処理である。
【００４４】
逆拡散処理部２５は、ターゲットの移動端末が拡散に用いたのと同じ符号を用い、同期処理部２４で得られたタイミングで逆拡散する。
【００４５】
復号部２６は、逆拡散処理部２５による逆拡散で得られたデータを復号する。逆拡散で得られたデータは誤り制御などのために符号化されている。
【００４６】
パワーコントロール部２７はターゲットの移動端末のパワーコントロールを行う。パワーコントロールとは、移動端末からの信号の受信レベルを監視し、全ての移動端末からの信号の受信レベルを一定にする制御である。その際、パワーコントロール部２７は、復号部２６で復号されたデータの信号対干渉電力比（以下、Ｓｉｇｎａｌ　ｔｏ　Ｉｎｔｅｒｆｅｒｅｎｃｅ　Ｒａｔｉｏ：ＳＩＲと呼ぶ）を測定し、このＳＩＲを所定の目標値に維持するように、ターゲットの移動端末の送信電力レベルを制御する。
【００４７】
ターゲットの移動端末への制御指示は、下りデータ処理部２２によって下りデータに付加されるパワーコントロールビット（以下、Ｔｒａｎｓｍｉｔ　Ｐｏｗｅｒ　Ｃｏｎｔｒｏｌ：ＴＰＣビットと呼ぶ）によって行われる。そのため、パワーコントロール部２７は、このＴＣＰビットを生成して下りデータ処理部２２に送る。
【００４８】
伝送路インタフェース１４は、ベースバンド処理部１５−１〜１５−ｎおよび故障時用ベースバンド処理部１５′と送受信するデータを所定の伝送フォーマットに変換して上位局８と送受信する。
【００４９】
アラーム監視部１６は、各ベースバンド処理部１５−１〜１５−ｎの故障を監視しており、いずれかのベースバンド処理部１５の故障を検出すると、そのベースバンド処理部１５の動作を停止させると共に、そのベースバンド処理部１５を切り替え部１３およびデータ保存部１７に通知する。
【００５０】
データ保存部１７は、各ベースバンド処理部１５−１〜１５−ｎが切り替え部１３に送ろうとする下りのデータを一時的に保存することができる。そして、データ保存部１７は、アラーム監視部１６から、故障したベースバンド処理部１５を通知されると、そのベースバンド処理部１５の設定情報や状態情報、下りデータ処理部２２により故障前に取得されたデータなどの各種情報を故障時用ベースバンド処理部１５′の下りデータ処理部２２に送る。これにより、故障したベースバンド処理部１５の下りデータ処理部２２のデータが故障時用ベースバンド処理部１５′の下りデータ処理部２２に引き継がれる。
【００５１】
通常時における本実施形態の基地局による上りデータに対する処理について説明する。
【００５２】
移動端末７−１〜７−ｍから送信された信号はアンテナ１１で受信され、無線インタフェース１２に送られる。その信号は無線インタフェース１２でベースバンド周波数帯のディジタル信号に変換され、各移動端末のディジタル信号が切り替え部１３に送られる。なお、１つの基地局１に同時に接続可能な移動端末の数はｎ−１以下である。
【００５３】
切り替え部１３では、無線インタフェース１２からの各信号がそのままベースバンド処理部１５−１〜１５−ｎへ送られる。
【００５４】
各ベースバンド処理部１５−１〜１５−ｎでは、同期処理部２４による同期捕捉処理および同期追跡処理で同期タイミングが得られる。さらに、各信号が逆拡散処理部２５にて逆拡散され、復号部２６にて復号されることにより、各移動端末の上りデータが取得される。そして、各上りデータは、伝送路インタフェース１４によって所定の伝送フォーマットに変換され、上位局８に送られる。
【００５５】
このときパワーコントロール部２７では、復号部２６で復号されたデータのＳＩＲが測定され、それに基づいて移動端末の送信電力レベルが最適となるようなＴＰＣビットが生成される。ＴＰＣビットは、パワーコントロール部２７から下りデータ処理部２２へ通知され、下りデータ処理部２２によって下りデータに付加される。下りデータに付加されたＴＰＣビットは各移動端末に送られる。各移動端末では、ＴＰＣビットに従って送信電力レベルが制御される。
【００５６】
通常動作中に、いずれかのベースバンド処理部１５が故障したときの本実施形態の基地局の動作について説明する。
【００５７】
まず、いずれかのベースバンド処理部１５の故障を検出すると、アラーム監視部１６は切り替え部１３およびデータ保存部１７に、故障したベースバンド処理部１５を通知する。
【００５８】
通知を受けた切り替え部１３は、そのベースバンド処理部１５とのデータの送受信を停止し、故障時用ベースバンド処理部１５′に切り替える。また、通知を受けたデータ保存部１７は、そのベースバンド処理部１５の下りデータ処理部２２の故障前のデータ等を故障時用ベースバンド処理部１５′の下りデータ処理部２２に送る。
【００５９】
故障時用ベースバンド処理部１５′は、故障したベースバンド処理部１５のデータを取得して、そのベースバンド処理部１５に代わって動作する。その際、故障発生時使用ベースバンド処理部１５′は故障前のデータを基に切り替え部１３へのデータの送信を開始する。
【００６０】
以上のように、本実施形態によれば、いずれかのベースバンド処理部１５が故障すると、アラーム監視部１６がそれを検出して切り替え部１３およびデータ保存部１７に通知し、データ保存部１７が、故障したベースバンド処理部１５のデータ等を故障時用ベースバンド処理部１５′に移し、切り替え部１３が、故障したベースバンド処理部１５の処理を故障時用ベースバンド処理部１５′に切り替えるので、故障したベースバンド処理部１５に割り当てられている移動端末７の通信が継続され、かつその移動端末７の送信電力レベルが不当に制御されて他の移動端末７に強い干渉を与えることがない。
【００６１】
図３は、本発明の他の実施形態の基地局の構成を示すブロック図である。図３を参照すると、基地局３は、無線インタフェース１２、切り替え部３１、伝送路インタフェース１４、ベースバンド処理部１５−１〜１５−ｎ、故障時用ベースバンド処理部１５′−１〜１５′−ｐ、アラーム監視部１６およびデータ保存部３２を有している。故障時用ベースバンド処理部１５′を複数備えている点で図１のものと異なる。
【００６２】
無線インタフェース１２、伝送路インタフェース１４、ベースバンド処理部１５−１〜１５−ｎ、故障時用ベースバンド処理部１５′−１〜１５′−ｐおよびアラーム監視部１６は図１と同じものである。
【００６３】
切り替え部３１は、図１の切り替え部１３と同様に、通常時は無線インタフェース１２の各ベースバンドインタフェースとベースバンド処理部１５−１〜１５−ｎの間をストレートに接続し、データを中継する。また、切り替え部３１は、アラーム監視部１６からアラームの通知を受けると、故障したベースバンド処理部１５に接続していたベースバンドインタフェースを故障時用ベースバンド処理部１５′に切り替える。その際、故障時用ベースバンド処理部１５′が複数あるので、切り替え部３１は、どの故障時用ベースバンド処理部１５′に切り替えるか決定する。
【００６４】
データ保存部３２は、図１のデータ保存部１７と同様に、各ベースバンド処理部１５−１〜１５−ｎが切り替え部３１に送ろうとする下りのデータを一時的に保存することができる。そして、データ保存部３２は、アラーム監視部１６から故障したベースバンド処理部１５を通知されると、そのベースバンド処理部１５の下りデータ処理部２２により故障前に取得されたデータ等の各種情報を、切り替え部３１によって切り替え先として決定された故障時用ベースバンド処理部１５′の下りデータ処理部２２に送る。
【００６５】
以上説明したように、図３の基地局３は、複数の故障時用ベースバンド処理部１５′を有しており、ベースバンド処理部１５が故障したとき、切り替え部３１が切り替え先の故障時用ベースバンド処理部１５′を決定して切り替えを行い、データ保存部３２がその故障時用ベースバンド処理部１５′にデータ等を移すので、複数のベースバンド処理部１５が故障しても、それらのベースバンド処理部１５に割り当てられていた移動端末の通信を継続することができる。
【００６６】
図４は、本発明のさらに他の実施形態の基地局の構成を示すブロック図である。図４を参照すると、基地局４は、無線インタフェース１２、切り替え部４１、伝送路インタフェース１４、ベースバンド処理部１５−１〜１５−ｎ、アラーム監視部１６、データ保存部４２および使用状態監視部４３を有している。故障時用ベースバンド処理部が無い代わりに、使用状況監視部４３を有している点で図３のものと異なる。
【００６７】
無線インタフェース１２、伝送路インタフェース１４、ベースバンド処理部１５−１〜１５−ｎおよびアラーム監視部１６は図３と同じものである。
【００６８】
使用状態監視部４３は、各ベースバンド処理部１５−１〜１５−ｎが使用中か否か監視しており、その使用状態を切り替え部４１およびデータ保存部４２に通知している。
【００６９】
切り替え部４１は、無線インタフェース１２の各ベースバンドインタフェースとベースバンド処理部１５−１〜１５−ｎを接続し、データを中継する。また、切り替え部４１は、使用状態監視部４３からの通知によって、各ベースバンド処理部１５−１〜１５−ｎが使用中か未使用かを常時把握している。切り替え部４１は、アラーム監視部１６からアラームの通知を受けると、故障したベースバンド処理部１５に接続していたベースバンドインタフェースを、他の未使用のベースバンド処理部１５に切り替える。
【００７０】
データ保存部４２は、各ベースバンド処理部１５−１〜１５−ｎが切り替え部４１に送ろうとする下りのデータを一時的に保存することができる。そして、データ保存部４２は、アラーム監視部１６から故障したベースバンド処理部１５を通知されると、そのベースバンド処理部１５の下りデータ処理部２２により故障前に取得されたデータ等を、切り替え部４１によって切り替え先とされたベースバンド処理部１５の下りデータ処理部２２に送る。
【００７１】
以上説明したように、図４の基地局４は、未使用のベースバンド処理部１５を故障したベースバンド処理部１５の切り替え先とすることができ、ベースバンド処理部１５が故障したとき、切り替え部４１が切り替え先のベースバンド処理部１５を決定して切り替えを行い、データ保存部４２がそのベースバンド処理部１５にデータ等を移すので、ベースバンド処理部１５が故障しても、そのベースバンド処理部１５に割り当てられていた移動端末の通信を継続することができる。
【００７２】
図５は、本発明のさらに他の実施形態の基地局の構成を示すブロック図である。図５を参照すると、基地局５は、無線インタフェースＡＳＩＣ　５２、切り替えＡＳＩＣ　１３、伝送路インタフェースＡＳＩＣ　１４、ベースバンド処理部５５−１〜５５−ｎ、故障時用ベースバンド処理部５５′、ＣＰＵ　５６およびデータ保存ＤＳＰ　５７を有している。
【００７３】
図６は、図５に示されたベースバンド処理部の詳細構成を示すブロック図である。図６を参照すると、ベースバンド処理部５５は、上りデータ処理ＤＳＰ　６１、パワーコントロールＡＳＩＣ　６２および下りデータ処理ＤＳＰ　６３を有している。
【００７４】
図５および図６に示された基地局５は、図１および図２に示された基地局１の各部をＡＳＩＣ（Ａｐｐｌｉｃａｔｉｏｎ　　Ｓｐｅｃｉｆｉｃ　Ｉｎｔｅｇｒａｔｅｄ　Ｃｉｒｃｕｉｔ）またはＤＳＰ（Ｄｉｇｉｔａｌ　Ｓｉｇｎａｌ　Ｐｒｏｃｅｓｓｏｒ）などによって構成したものである。
【００７５】
無線インタフェースＡＳＩＣ　５２は、図１の無線インタフェース１２をＡＳＩＣによって構成したものである。切り替えＡＳＩＣ　１３は、図１の切り替え部１３をＡＳＩＣによって構成したものである。伝送路インタフェースＡＳＩＣ１４は、図１の伝送路インタフェース１４をＡＳＩＣによって構成したものである。
【００７６】
ベースバンド処理部５５−１〜５５−ｎは、図１のベースバンド処理部１５−１〜１５−ｎをＡＳＩＣおよびＤＳＰによって構成したものである。故障時用ベースバンド処理部５５′は、図１の故障時用ベースバンド処理部１５′をＡＳＩＣおよびＤＳＰによって構成したものである。データ保存ＤＳＰ　５７は、図１のデータ保存部１７をＤＳＰによって構成したものである。
【００７７】
ＣＰＵ　５６は、図１のアラーム監視部１６の機能を含む処理を実行するプロセッサである。ＣＰＵ　５６は、いずれかのベースバンド処理部５５の故障を検出すると、切り替えＡＳＩＣ　５３およびデータ保存ＤＳＰ　５７にそのベースバンド処理部５５を通知する。そして、故障したベースバンド処理部５５の処理が故障時用ベースバンド処理部５５′に切り替えられると、ＣＰＵ　５６は、故障したベースバンド処理部５５の初期化処理を行う。
【００７８】
上りデータ処理ＤＳＰ　６１は、図２の同期処理部２４、逆拡散処理部２５および復号部２６をＤＳＰによって構成したものである。パワーコントロールＡＳＩＣ　６２は、図２のパワーコントロール部２７をＡＳＩＣによって構成したものである。下りデータ処理ＤＳＰ６３は、図２の下りデータ処理部２２をＤＳＰによって構成したものである。
【００７９】
【発明の効果】
本発明によれば、いずれかのベースバンド処理部が故障してアラーム監視部がそれを検出すると、データ保存部が、故障したベースバンド処理部のデータ等を故障時用ベースバンド処理部に移し、切り替え部が、故障したベースバンド処理部の処理を故障時用ベースバンド処理部に切り替えるので、故障したベースバンド処理部に割り当てられている移動端末の通信が継続される。
【００８０】
また、故障時用ベースバンド処理部が複数あり、ベースバンド処理部に故障が起こると、切り替え部がどの故障時用ベースバンド処理部に切り替えるか決めて切り替えを行うので、複数のベースバンド処理部が故障しても、それらのベースバンド処理部に割り当てられていた移動端末の通信を継続することができる。
【００８１】
また、複数のベースバンド処理部のうち未使用のものを、故障したベースバンド処理部の切り替え先とすることができ、切り替え部が切り替え先のベースバンド処理部を決定して切り替えを行い、データ保存部がそのベースバンド処理部にデータ等を移すので、ベースバンド処理部が故障しても、そのベースバンド処理部に割り当てられていた移動端末の通信を継続することができ、かつ高トラフィック時にはベースバンド処理部のハードウェア資源を最大限に利用することができる。
【００８２】
また、ベースバンド処理部に故障が生じても、そこに割り当てられていた移動端末の通信は継続されるが、故障したベースバンド処理部のパワーコントロール部による制御が継続されてその移動端末の送信電力レベルが不当に制御されて他の移動端末に強い干渉を与えることがない。
【図面の簡単な説明】
【図１】本発明の一実施形態の基地局の構成を示すブロック図である。
【図２】図１に示されたベースバンド処理部の詳細構成を示すブロック図である。
【図３】本発明の他の実施形態の基地局の構成を示すブロック図である。
【図４】本発明のさらに他の実施形態の基地局の構成を示すブロック図である。
【図５】本発明のさらにもう１つ他の実施形態の基地局の構成を示すブロック図である。
【図６】図５に示されたベースバンド処理部の詳細構成を示すブロック図である。
【図７】従来のＣＤＭＡ移動通信システムの基地局の詳細構成を示すブロック図である。
【図８】従来のＣＤＭＡ移動通信システムの基地局の概略構成を示すブロック図である。
【図９】従来のＣＤＭＡ移動通信システムの他の基地局の概略構成を示すブロック図である。
【符号の説明】
１，３，４，５　　基地局
１１　　アンテナ
１２　　無線インタフェース
１３，３１，４１　　切り替え部
１４　　伝送路インタフェース
１５−１〜１５−ｎ，５５−１〜５５−ｎ　　ベースバンド処理部
１５′，１５′−１〜１５′−ｐ，５５′　　故障時用ベースバンド処理部
１６　　アラーム監視部
１７，３２，４２　　データ保存部
２１　　上りデータ処理部
２２　　下りデータ処理部
２３　　相関値検出部
２４　　同期処理部
２５　　逆拡散処理部
２６　　復号部
２７　　パワーコントロール部
４３　　使用状態監視部
７−１〜７−ｍ　　移動端末
８　　上位局
５２　　無線インタフェースＡＳＩＣ
５３　　切り替えＡＳＩＣ
５４　　伝送路インタフェースＡＳＩＣ
５６　　ＣＰＵ
５７　　データ保存ＤＳＰ
６１　　上りデータ処理ＤＳＰ
６２　　パワーコントロールＡＳＩＣ
６３　　下りデータ処理ＤＳＰ
【図１】
2004112055.tif 000003
【図２】
2004112055.tif 000004
【図３】
2004112055.tif 000005
【図４】
2004112055.tif 000006
【図５】
2004112055.tif 000007
【図６】
2004112055.tif 000008
【図７】
2004112055.tif 000009
【図８】
2004112055.tif 000010
【図９】
2004112055.tif 000011